(57)【要約】【課題】  校正対象の印刷物の印刷ずれを確認することのできるプルーフを作成可能なプルーフ作成方法及び画像形成装置を提供する。【解決手段】  このプルーフ作成方法は、校正対象の印刷物を印刷する印刷機の過去の印刷物について画像を読み取り、読み取られた画像から印刷ずれのデータを取得し、露光によりプルーフを作成する画像記録装置において印刷ずれのデータに基づいて副走査方向及び主走査方向に露光のスタート位置をずらすことで、露光を行いプルーフを作成する。これにより、校正対象の印刷物の印刷ずれを再現し確認することのできるプルーフを作成できる。【選択図】  図９
2005091860.tif 000002
【特許請求の範囲】
【請求項１】
校正対象の印刷物を印刷する印刷機の過去の印刷物について画像を読み取るステップと、
前記読み取られた画像から印刷ずれのデータを取得するステップと、
露光によりプルーフを作成する画像記録装置において前記印刷ずれのデータに基づいて露光条件を変更するステップと、
前記画像記録装置において前記変更された露光条件で露光を行いプルーフを作成するステップと、を含むことを特徴とするプルーフ作成方法。
【請求項２】
前記露光条件の変更のため前記画像記録装置における露光のスタート位置をずらすことを特徴とする請求項１に記載のプルーフ作成方法。
【請求項３】
前記画像記録装置は、Ｃ、Ｍ、Ｙ、Ｋの各色版の画像データ毎に面順次露光する画像記録装置であるか、または、Ｃ、Ｍ、Ｙ、Ｋの各色版の画像データに基づいて複数の光源によりほぼ同時に露光する画像記録装置であることを特徴とする請求項１または２に記載のプルーフ作成方法。
【請求項４】
Ｃ、Ｍ、Ｙ、Ｋの各色版の画像データ毎に面順次露光する画像記録装置において本印刷する印刷機の印刷ずれを再現したプルーフを作成するために露光のスタート位置をずらすように露光制御を行うことを特徴とする画像記録装置。
【請求項５】
前記露光のために主走査及び副走査を行うときに、前記露光のスタート位置をずらすために主走査方向及び副走査方向の少なくとも一方に関するパラメータを設定可能に構成したことを特徴とする請求項４に記載の画像記録装置。
【請求項６】
Ｃ、Ｍ、Ｙ、Ｋの各色版の画像データに基づいて複数の光源によりほぼ同時に露光する画像記録装置において本印刷する印刷機の印刷ずれを再現したプルーフを作成するために露光のスタート位置をずらすように露光制御を行うことを特徴とする画像記録装置。
【請求項７】
前記露光のために主走査及び副走査を行うときに、前記露光のスタート位置をずらすために主走査方向及び副走査方向の少なくとも一方に関するパラメータを設定可能に構成したことを特徴とする請求項６に記載の画像記録装置。
【請求項８】
混合色（Ｋ）がＣ、Ｍ、Ｙで作られる際に、Ｃ、Ｍ、Ｙの一色をずらしても混合色（Ｋ）の色が変わらないように露光制御することを特徴とする請求項６または７に記載の画像記録装置。
【発明の詳細な説明】
【技術分野】
【０００１】
本発明は、印刷機の印刷物のプルーフを作成するプルーフ作成方法、及びＣ、Ｍ、Ｙ、Ｋ各色を一度に露光するか、または、面順次露光し、プルーフの作成が可能な画像記録装置に関するものである。
【背景技術】
【０００２】
従来、カラー印刷物の校正のため校正物（プルーフ）を別途作成し、本番の印刷版を作成する前に印刷物の仕上がりを事前に確認している。このため、網点画像データ生成装置等のフロントシステムで多値画像データを網点化し２値画像データを生成し、この網点画像データに基づいて画像記録装置で波長の異なる複数の光源によって銀塩カラー感光材料を露光してプルーフ（校正物）を作成している。また、ＹＭＣまたはＹＭＣＫの各色の画像情報を得て、インク色の異なる複数のドナーシートを、そのインク層を有する面と受像シートの受像層を有する面とを対面するように重ね合わせて、画像情報に応じた光ビームを照射し、ドナーシート上に形成されている数μｍのドットで構成される画像情報によりインク層が溶融して受像シートに転写するようにして面順次露光する画像記録装置でプルーフを作成している。
【０００３】
ところが、従来の上記各画像記録装置で作成したプルーフでは、本印刷する印刷機の印刷ずれを再現できなかった。印刷機には、印刷機毎に特有の機械的・物理的特性があり、そのため、本印刷する印刷機で印刷した印刷物に印刷ずれがあると、プルーフと校正対象の印刷物とが異なり、プルーフで印刷物の印刷ずれを確認することができなかった。
【特許文献１】特開平９−２７２２３０号公報
【発明の開示】
【発明が解決しようとする課題】
【０００４】
本発明は、上述のような従来技術の問題に鑑み、校正対象の印刷物の印刷ずれを確認することのできるプルーフを作成可能なプルーフ作成方法及び画像形成装置を提供することを目的とする。
【課題を解決するための手段】
【０００５】
上記目的を達成するために、本発明によるプルーフ作成方法は、校正対象の印刷物を印刷する印刷機の過去の印刷物について画像を読み取るステップと、前記読み取られた画像から印刷ずれのデータを取得するステップと、露光によりプルーフを作成する画像記録装置において前記印刷ずれのデータに基づいて露光条件を変更するステップと、前記画像記録装置において前記変更された露光条件で露光を行いプルーフを作成するステップと、を含むことを特徴とする。
【０００６】
このプルーフ作成方法によれば、校正対象の印刷物を印刷する印刷機から取得した印刷ずれのデータに基づいて露光条件を変更して露光を行いプルーフを作成するので、校正対象の印刷物の印刷ずれを再現し確認することのできるプルーフを作成できる。
【０００７】
上記プルーフ作成方法において前記画像記録装置における露光のスタート位置をずらすことで前記露光条件を変更することができる。
【０００８】
また、前記画像記録装置は、Ｃ、Ｍ、Ｙ、Ｋの各色版の画像データ毎に面順次露光する画像記録装置であるか、または、Ｃ、Ｍ、Ｙ、Ｋの各色版の画像データに基づいて複数の光源によりほぼ同時に露光する画像記録装置であることが好ましい。
【０００９】
本発明による第１の画像記録装置は、Ｃ、Ｍ、Ｙ、Ｋの各色版の画像データ毎に面順次露光する画像記録装置において本印刷する印刷機の印刷ずれを再現したプルーフを作成するために露光のスタート位置をずらすように露光制御を行うことを特徴とする。
【００１０】
第１の画像記録装置によれば、露光のスタート位置をずらすことで本印刷する印刷機の印刷ずれを再現できるので、校正対象の印刷物の印刷ずれを確認することのできるプルーフを作成できる。
【００１１】
上記第１の画像記録装置において前記露光のために主走査及び副走査を行うときに、前記露光のスタート位置をずらすために主走査方向及び副走査方向の少なくとも一方に関するパラメータを設定可能に構成することが好ましい。
【００１２】
本発明による第２の画像記録装置は、Ｃ、Ｍ、Ｙ、Ｋの各色版の画像データに基づいて複数の光源によりほぼ同時に露光する画像記録装置において本印刷する印刷機の印刷ずれを再現したプルーフを作成するために露光のスタート位置をずらすように露光制御を行うことを特徴とする。
【００１３】
第２の画像記録装置によれば、露光のスタート位置をずらすことで本印刷する印刷機の印刷ずれを再現できるので、校正対象の印刷物の印刷ずれを確認することのできるプルーフを作成できる。
【００１４】
上記第２の画像記録装置において前記露光のために主走査及び副走査を行うときに、前記露光のスタート位置をずらすために主走査方向及び副走査方向の少なくとも一方に関するパラメータを設定可能に構成することが好ましい。
【００１５】
この場合、混合色（Ｋ）がＣ、Ｍ、Ｙで作られる際に、Ｃ、Ｍ、Ｙの一色をずらしても混合色（Ｋ）の色が変わらないように露光制御するように構成する。
【００１６】
なお、上記各画像記録装置において、露光のスタート位置を副走査方向にずらすときは、露光部や光源部の初期位置に対してモータで露光部や光源部の位置をずらすように構成できる。
【００１７】
また、露光のスタート位置を主走査方向に１ｄｏｔ未満でずらすときは、基準となる画素クロック信号を遅延回路を通すことでずらすように構成できる。この場合、遅延回路の遅延時間を設定することができる。
【００１８】
また、露光のスタート位置を主走査方向にＣ、Ｍ、Ｙの各色を１ｄｏｔ未満でずらすときは、各色に入る基準の画素クロックに対して、遅延回路を設けることによりずらす。また、混合色（Ｋ）がＣ、Ｍ、Ｙで作られる場合、Ｃ、Ｍ、Ｙの一色をずらしても、混合色（Ｋ）の色が変わらないようにするために、各色に入る基準の画素クロックを遅延回路に通さないようにする。
【発明の効果】
【００１９】
本発明のプルーフ作成方法及び画像形成装置によれば、校正対象の印刷物の印刷ずれを再現し確認することのできるプルーフを作成可能となる。このように本印刷する印刷機の印刷ずれを再現できるので、印刷物の確認工数、不要印刷物の印刷工数を削減できる。
【発明を実施するための最良の形態】
【００２０】
以下、本発明を実施するための最良の形態について図面を用いて説明する。図１に本実施の形態によるプルーフ作成システムの概略的構成を示す。
【００２１】
図１のプルーフ作成システムは、印刷工場等における印刷の際に印刷出力対象の絵柄、色調、文章、文字等の確認を行うためのカラープルーフ（校正用サンプル）を作成するものであって、画像処理装置２が印刷工場のクライアント端末からＰＳ(PostScript)データ等の多値の画像データを受信し、この多値画像データに基づいてラスターイメージ変換処理等を行い２値の網点画像データ等を生成して出力し、この網点画像データ等に基づいて画像記録装置１で露光によりカラープルーフを作成し出力する。
【００２２】
一方、校正対象の印刷物を印刷する印刷機の過去の印刷物からスキャナ等の画像読取装置３で画像を読み取り、その印刷ずれのデータを取得し、画像記録装置１における露光の際に、印刷ずれを反映するために露光のスタート位置をずらす等により露光条件を変更し、カラープルーフを作成する。
【００２３】
次に、図１の画像記録装置１として、Ｃ、Ｍ、Ｙ、Ｋの各色版の画像データに基づいて複数の光源によりほぼ同時に露光する画像記録装置１Ａについて図２，図３を参照して説明する。
【００２４】
図２は本実施の形態による画像記録装置の内部を正面側から見た図である。図３は図２の画像記録装置のドラム及び光学ユニットを上部から見た要部平面図である。
【００２５】
図２に示すように、本実施の形態による画像記録装置１Ａは、カラープルーフを作成するために銀塩カラー感光材料（以下、単に「感光材料」または「感光紙」ともいう。）に露光し画像を形成する露光ユニット１１と、露光された感光材料を現像する現像ユニット２１と、を備える。
【００２６】
図２に示すように、画像記録装置１の露光ユニット１１は、内部にロール状に巻かれたシート状感光材料である感光紙を収納した専用のカートリッジ１３を装填し収容する装填部１２，１２’と、装填部１２，１２’に装填されたカートリッジ１３から感光紙を給送する搬送ローラ対４０，４１，４２等からなる給送部１４と、給送部１４から給送された感光紙Ｓを外周面に真空吸引し保持しながら主走査のために回転方向Ｒに回転するドラム１０と、ドラム１０上の感光紙に対しＬＥＤ光等の光ビームを露光する露光部１６と、露光部１６を副走査のために副走査方向（図１の紙面垂直方向）Ｈ（図３）に搬送する副走査部１７と、画像記録後のドラム１０上の感光紙を剥離する剥離部材１５と、を備える。露光後の感光紙は出口１９及び接続部１９ａを通して現像ユニット２１へと搬送される。
【００２７】
図２の画像記録装置１は、更に、搬送ローラ対４２の下流側に配置されドラム１０に向けて送られる感光紙の搬送に従い従動回転する従動ローラ３１と、感光紙をドラム１０との間で搬送する従動ローラ３１と、ドラム１０上から剥離部材１５で剥離された感光紙をドラム１０と従動ローラ３１とで搬送するときに感光紙をガイドするアキュームガイド部材１８と、アキュームガイド部材１８で送られてきた感光紙を出口１９へと更に搬送する搬送ローラ対３２と、搬送ローラ対３２に達した感光紙をアキュームするためにアキュームガイド部材１８の一部が開放されることで形成されるアキュームレート部３０と、搬送ローラ対３２の下流側近傍に配置された感光紙の先端を検出する検出センサ３３と、を備える。
【００２８】
また、搬送ローラ対４２の下流側近傍に配置された比較的幅狭の従動ローラ４３は記録紙の移動とともに従動回転し、この従動ローラ４３と同軸にロータリエンコーダ（図示省略）が連結されている。このロータリエンコーダが従動ローラ４３とともに回転し回転量を測定することで搬送ローラ対４２を通過して回転ドラム１０に巻き付けられた感光紙の長さを求めることができる。また、下流側の搬送ローラ対３２は、ワンウェイクラッチ構造を有し、感光紙の下流側への送り出し方向への回転が自在となっている。
【００２９】
図２の搬送ローラ対４０，４１の下流側近傍には感光紙を切断するカット部１０ａがそれぞれ配置されており、各カット部１０ａはモータ（図示省略）により回転駆動されるロータリカッタを有し、上述の感光紙の長さ測定に基づいて感光紙を所定長さに切断する。
【００３０】
図２の現像ユニット２１は、露光ユニット１１から送られた露光後の感光紙について湿式現像を行うもので、感光紙の現像処理を行う現像部２３と、定着処理を行う定着部２４と、安定処理を行う安定部２５と、乾燥処理を行う乾燥部２６と、乾燥された感光紙を搬送ローラ対２７ａ等で外部に排出する排出部２７と、を備える。
【００３１】
図３のように、画像記録装置１のドラム１０は、回転軸部１４’の回転軸１４ａ及び回転軸部１８ａの回転軸１５ａが軸受３３ａ、３３ｂを介して支持台３４ａ、３４ｂに回転可能に軸支されている。ドラム１０の一方の回転軸１５ａには、駆動プーリ３５ａが設けられ、この駆動プーリ３５ａはドラム駆動用パルスモータＭ６の出力プーリ３５ｂとベルト３６により連結され、ドラム駆動用パルスモータＭ６の駆動によりドラム１０が回転する。また、ドラム１０の回転軸１５ａには、ロータリーエンコーダ３７が設けられ、回転のためのパルス信号を出力してドラム１０の回転に同期した画素クロック制御に用いる。
【００３２】
ドラム１０の他方の回転軸１４ａは吸引ブロアＰ１に連結されている。ドラム１０の表面には吸着孔３１ｃが回転軸方向に直線状に延びて多数形成されており、吸引ブロアＰ１の駆動によりドラム１０の内部が減圧されて感光紙がドラム１０の表面に吸着される。
【００３３】
露光部１６は、副走査部１７によりドラム軸と平行に移動可能に構成され、ドラム１０に吸着された感光紙に光ビームで露光して画像の書き込みを行う。図３に示すように、露光部１６には、異なる３波長の光源としてＬＥＤユニット３２０、ＬＥＤユニット３２１、ＬＥＤユニット３２２が配置されている。各ＬＥＤユニット３２０，３２１，３２２はそれぞれ複数チャンネル分の基板上に配置された発光ダイオード（ＬＥＤ）を備え、各ＬＥＤユニット３２０，３２１，３２２からの光ビームは、ミラー３２５、３２６、３２７を介して、集光レンズ３３１からドラム１０上の感光紙に画像を露光する。露光シャッタ３３２は露光ソレノイド３３３により開閉することで、露光開始／終了時に光路の開閉を行なう。
【００３４】
また、複数のＬＥＤユニット３２０，３２１，３２２は、例えば、それぞれ波長４５０ｎｍ程度のＢ（ブルー）、波長５４０ｎｍ程度のＧ（グリーン）、波長６５０ｎｍ程度のＲ（レッド）の各色を発光するように構成でき、各ＬＥＤユニットにより銀塩カラー感光材料を露光したとき、ＢによりＹ（イエロー）、ＲによりＭ（マゼンダ）、ＧによりＣ（シアン）がそれぞれ発色するようになる。
【００３５】
露光部１６は、移動ベルト３４０に固定され、一対のガイドレール３４１、３４２に案内されてドラム軸と平行方向の副走査方向Ｈ及びその反対の方向Ｈ’に移動可能に設けられている。移動ベルト３４０は一対のプーリ３４３、３４４に掛け渡され、一方のプーリ３４４は副走査モータＭ７の出力軸３４５に連結され、副走査モータＭ７の駆動により露光部１６がドラム軸と平行に副走査方向Ｈ、その反対の方向Ｈ’に移動する。
【００３６】
また、図３のように、回転ドラム１０の外周面のドラム軸と平行の延長上位置にはフォトダイオード等の受光素子からなる測光部５７が配置されており、図３のホームポジションの位置の露光部１６が方向Ｈ’に若干移動し各ＬＥＤユニット３２０〜３２２からの光ビームが測光部５７に入射することで、各チャンネルの各ＬＥＤの光ビームの光量を測定できるようになっている。
【００３７】
図３に示すように、吸引ブロアＰ１は空気吸引ポンプにより吸引連結管５１’を通してドラム１０内を吸引し、露光ユニット１１による露光開始前にドラム１０内を負圧にし感光紙を外周面に吸着する。
【００３８】
次に、図１の画像記録装置１として、Ｃ、Ｍ、Ｙ、Ｋの各色版の画像データ毎に面順次露光する画像記録装置１Ｂについて図４，図５を参照して説明する。
【００３９】
図４は本実施の形態による別の画像記録装置の内部を側面側から見た図である。図５は図４の画像記録装置の露光部の記録ヘッドを示す斜視図である。
【００４０】
図４に示すように、画像記録装置１Ｂは、シート供給部１２０、プラテン１３０、露光部１４０、シート排出部１５０及び制御部１６０を備える。装置本体１ｂの中央部にプラテン１３０が配置され、このプラテン１３０の一方側にシート供給部１２０が、他方側に露光部１４０が配置されている。装置本体１ｂの上部にシート排出部１５０が配置され、支持台１９０にプラテン１３０及び露光部１４０が載置され、支持台１９０の内部に制御部１６０が配置されている。
【００４１】
シート供給部１２０には、受像シート供給部２００とドナーシート供給部２１０が配置されている。受像シート供給部２００には、ロール状のインク受像層が支持体の一面側に設けられた受像シート１００が装填され、給送モータＭ１により給送ローラ２２０が駆動し、給送ローラ２２０が受像シート１００をプラテン１３０の方向へ給送する。この受像シート搬送経路２３０にはカッタ２４０が配置され、受像シート１００を所定長さに切断する。
【００４２】
ドナーシート供給部２１０には、回転ラック２５０が支持軸２５０ａを支点に回転可能に設けられている。この回転ラック２５０には、複数のロール状のドナーシート１０１が装填されている。このロール状のドナーシート１０１は、インク層を支持体の一面側に設けて構成され、本実施の形態ではインク層のインク色が異なるイエローＹ、マゼンタＭ、シアンＣ、ブラックＫ及び色の補正に用いる補正用ＳＰ１，ＳＰ２等が用いられている。回転ラック２５０には、ロール状のドナーシート１０１の位置に対応して送出しローラ２６０が設けられ、回転ラック２５０が回転してドナーシート１０１を所定の給送位置に停止する。
【００４３】
この給送位置で順次送出されるドナーシート１０１は、給送モータＭ２により給送ローラ２７０が駆動し、給送ローラ２７０がドナーシート１０１をプラテン１３０方向へ給送する。このドナーシート搬送経路２８０にはカッタ２９０が配置され、ドナーシート１０１を所定長さに切断する。
【００４４】
シート供給部１２０では、インク受像層が支持体の一面側に設けられた受像シート１００をプラテン１３０に供給した後、インク層が支持体の一面側に設けられたインク色の異なる複数のドナーシート１０１を１枚づつプラテン１３０に給送する。
【００４５】
プラテン１３０は、回転可能に設けられ、シート供給部１２０の受像シート供給部２００から供給された受像シート１００をインク受像層を有する面が表面側になるように保持した後に、シート供給部１２０のドナーシート供給部２１０から供給されたドナーシート１０１を、１枚ずつそのインク層を有する面と受像シート１００の受像層を有する面とを対面するように、重ね合わせて保持する。
【００４６】
プラテン１３０は回転軸３００ａまわりに回転可能なドラム３００を備え、ドラム３００に順次、ドナーシート１０１を受像シート１００上に重ね合わせ、重ね合わせた状態でドラム３００を回転方向（主走査方向）Ｒに回転しながら、露光部１４０から各色毎に光ビームを照射することにより、コンパクトな構造で高精度の画像出力を得ることができる。
【００４７】
露光部１４０は記録ヘッド４００を備え、記録ヘッド４００はモータ（図示省略）によりドラム３００の回転軸３００ａと平行に副走査方向に移動可能になっている。記録ヘッド４００は、入力した各色版の画像データに基づいてプラテン１３０上のドナーシート１０１に光ビームを照射することで面順次に露光を行う。
【００４８】
シート排出部１５０には、ドナーシート排出部５００と受像シート排出部５１０が配置されている。排出モータＭ３により排出ローラ５２０が駆動し、剥離部材５３０により剥離されたドナーシート１０１及び受像シート１００が排出ローラ５２０により排出される。光ビームを照射されたドナーシート１０１はドナーシート排出部５００に排出され、ドナーシート１０１からのインクを転写された受像シート１００を受像シート排出部５１０に排出する。
【００４９】
以上のように画像記録装置１Ｂは、順次、ドナーシート１０１を受像シート１００上に重ね合わせ、重ね合わせた状態で、Ｃ、Ｍ、Ｙ、Ｋの各色版の画像データ毎に光ビームを照射することにより、ドナーシート１０１からのインクを受像シート１００に転写し、光ビームを照射されたドナーシート１０１をプラテン１３０から排出することで、面順次露光を行い、受像シート１００に画像を形成できる。
【００５０】
次に、図４の露光部１４０について説明する。図５のように、露光部１４０の記録ヘッド４００はＲＧＢの各光を発生するため複数の発光部４１０を備える。各発光部４１０はレーザダイオードで構成され、照射された光ビームは、コリメータレンズ４２０により平行な光束になって第１縮小光学系４３０で縮小されて中間像４４０を得る。記録ヘッド４００は、ズーム調整機構４７０及び焦点調整機構４８０を備え、中間像４４０からズームレンズ４５０を介して最終像４６０がドラム３００に向け出射する。
【００５１】
ズーム調整機構４７０はズーム用モータＭ１０によりズーム調整部材４７０ａを作動し、これによりズームレンズ４５０が光軸方向へ移動し、使用するズームレンズの最長焦点距離から最短焦点距離の範囲内で任意に長短いずれの方向にも焦点距離を可変するズーミングでズーム調整が行なわれる。
【００５２】
また、焦点調整機構４８０は焦点調整用モータＭ１１で送りねじ等で構成される焦点調整部材４８０ａを作動し、これによりレンズユニット４８０ｂが光軸方向へ移動し焦点調整が行なわれ、光ビーム照射による露光を合焦点位置で行なうことができる。
【００５３】
次に、図２，図３の画像記録装置１Ａ及び図３，図４の画像記録装置１Ｂにおいて、プルーフ作成のときに本印刷する印刷機の印刷ずれを再現するために露光のスタート位置をずらすように露光制御を行う構成について説明する。
【００５４】
まず、露光のスタート位置を副走査方向にずらすときは、露光部や光源部の初期位置に対してモータで露光部や光源部の位置をずらす。即ち、図２の露光部１６は、各ＬＥＤユニット３２０，３２１，３２２からの光ビームが出射する集光レンズ３３１の光軸ｐの位置が露光のスタート時にドラム１０に対しその初期位置からずれるようにして副走査モータＭ７により移動される。また、図４の露光部１４０の図５の記録ヘッド４００も同様にして、ズームレンズ４５０の光軸ｐ’の位置が露光のスタート時にドラム３００に対しその初期位置からずれるようにしてモータにより移動される。
【００５５】
上述の露光のスタート位置の副走査方向へのずれ量は、図１の画像読取装置３で印刷物の画像を読み取ることで得られた印刷ずれのデータに基づいて決めることができる。
【００５６】
次に、露光のスタート位置を主走査方向に１ｄｏｔ未満でずらす構成について図６を参照して説明する。図６は、図２または図４の画像記録装置で露光のスタート位置を主走査方向に１ｄｏｔ未満でずらす回路構成を示すブロック図である。
【００５７】
図６のように、図３のドラム１０の回転軸１５ａに連結されたエンコーダ３７からの情報に基づいてＰＬＬ（Phase Locked Loop）回路８１で画素クロック信号を生成し、ＰＬＬ回路８１から出力した基準の画素クロック信号を遅延回路８２に通すことで、基準の画素クロック信号をずらし遅らせることができる。この遅れた画素クロック信号でドラム１０の回転方向（主走査方向）Ｒの回転を制御することで、露光のスタート位置を主走査方向に１ｄｏｔ未満でずらすことができる。
【００５８】
また、図４の場合も、ドラム３００の回転軸３００ａに連結されたエンコーダ（図示省略）からの情報に基づいて図６の構成により、同様に露光のスタート位置を主走査方向に１ｄｏｔ未満でずらすことができる。
【００５９】
図６において上述の露光のスタート位置の主走査方向へのずれ量は、図１の画像読取装置３で印刷物の画像を読み取ることで得られた印刷ずれのデータに基づいて遅延回路８２の遅延時間を設定することで調整できる。
【００６０】
以上の図２，図３または図４，図５の画像記録装置１Ａまたは１Ｂを図１の画像記録装置に適用したカラープルーフ作成システムの動作について図９のフローチャートを参照して説明する。
【００６１】
まず、校正対象の印刷物を印刷する印刷機の過去の印刷物から画像読取装置３でその画像を読み取り（Ｓ０１）、その読み取った画像データからその印刷ずれのデータを取得する（Ｓ０２）。
【００６２】
次に、上述の印刷ずれのシュミュレーションを行いカラープルーフで印刷ずれを再現する場合は（Ｓ０３）、取得した印刷ずれのデータに基づいて図４の副走査モータＭ７等により露光のスタート位置を副走査方向にずらし（Ｓ０４）、更に、図６の回路により露光のスタート位置を主走査方向にずらしてから（Ｓ０５）、各露光部１６，１４０で露光を行う（Ｓ０６）。
【００６３】
以上のようにして、図１のカラープルーフ作成システムにより、校正対象の印刷物の印刷ずれを再現し確認することのできるカラープルーフを作成でき、本印刷する印刷機の印刷ずれを再現し確認できるので、印刷物の確認工数、不要印刷物の印刷工数を削減できる。
【００６４】
特に、印刷機には、印刷機毎に特有の機械的・物理的特性があり、その特有の機械的・物理的特性に起因する印刷ずれは、カラープルーフで再現することができなかったのであるが、本実施の形態で得ることのできるカラープルーフにより校正対象の印刷物の印刷ずれを再現できるので、印刷物の印刷ずれを確認することができるのである。
【００６５】
以上のように本発明を実施するための最良の形態について説明したが、本発明はこれらに限定されるものではなく、本発明の技術的思想の範囲内で各種の変形が可能である。例えば、図６の回路構成は、図７，図８のように構成することができる。
【００６６】
図７を参照して露光のスタート位置を主走査方向にＣ、Ｍ、Ｙの各色を１ｄｏｔ未満でずらす構成について説明する。図７は、図２または図４の画像記録装置で露光のスタート位置を主走査方向にＣ、Ｍ、Ｙの各色を１ｄｏｔ未満でずらす回路構成を示すブロック図である。
【００６７】
図７のように、図６のＰＬＬ回路８１等からの基準の画素クロック信号を分配回路８３でＢ、Ｇ、Ｒの各色に分配し、各色に分配された基準の画素クロックを各色の遅延回路８４，８５，８６に通すことで、基準の画素クロック信号をずらし遅らせることができる。この遅れた画素クロック信号でドラム１０の回転方向（主走査方向）Ｒの回転をＢ、Ｇ、Ｒの各色毎に制御することで、露光のスタート位置を主走査方向に１ｄｏｔ未満でＢ、Ｇ、Ｒの各色毎にずらすことができる。
【００６８】
また、図４の場合も、ドラム３００の回転軸３００ａの連結されたエンコーダ（図示省略）からの情報に基づいて図６の構成により、同様に露光のスタート位置を主走査方向に１ｄｏｔ未満でＢ、Ｇ、Ｒの各色毎にずらすことができる。
図７において上述の露光のスタート位置の主走査方向へのずれ量は、図１の画像読取装置３で印刷物の画像を読み取ることで得られた印刷ずれのデータに基づいて各遅延回路８４，８５，８６の遅延時間をそれぞれ設定することで調整できる。
【００６９】
次に、図８を参照して、混合色（Ｋ）がＣ、Ｍ、Ｙで作られる場合、Ｃ、Ｍ、Ｙの一色の露光のスタート位置を主走査方向にずらしても、混合色（Ｋ）の色が変わらないようにするための構成について説明する。
【００７０】
図８は、図２または図４の画像記録装置でＣ、Ｍ、Ｙの一色の露光のスタート位置を主走査方向にずらしても、混合色（Ｋ）の色が変わらないようにするための回路構成を示すブロック図である。
【００７１】
図８のように、図７の回路を、Ｋの色信号が各色の遅延回路８４，８５，８６に入力すると、各色の遅延回路８４〜８６の遅延時間の設定が０になるように構成する。これにより、各色の遅延回路８４〜８６から出力するクロック信号は、基準の画素クロック信号のままとなる。
【００７２】
上述のようにして、主走査方向にＣ、Ｍ、Ｙの各色を１ｄｏｔ未満でずらすようにしても、混合色（Ｋ）をＣ、Ｍ、Ｙで作るときには、図８において各色に入る基準の画素クロック信号を遅延回路８４〜８６で遅らせない（遅延回路８４〜８６を通さない）ようにすることで、混合色（Ｋ）をずらさないようにでき、混合色（Ｋ）の色が変わらない。
【００７３】
また、図９では、露光のスタート位置を副走査方向及び主走査方向にずらしたが、取得した印刷ずれのデータに基づいていずれか一方の方向にずらすようにしてもよい。
【図面の簡単な説明】
【００７４】
【図１】本実施の形態によるプルーフ作成システムの概略的構成を示す図である。
【図２】本実施の形態による画像記録装置の内部を正面側から見た図である。
【図３】図２の画像記録装置のドラム及び光学ユニットを上部から見た要部平面図である。
【図４】本実施の形態による別の画像記録装置の内部を側面側から見た図である。
【図５】図４の画像記録装置の露光部の記録ヘッドを示す斜視図である。
【図６】図２または図４の画像記録装置で露光のスタート位置を主走査方向に１ｄｏｔ未満でずらす回路構成を示すブロック図である。
【図７】図２または図４の画像記録装置で露光のスタート位置を主走査方向にＣ、Ｍ、Ｙの各色を１ｄｏｔ未満でずらす回路構成を示すブロック図である。
【図８】図２または図４の画像記録装置でＣ、Ｍ、Ｙの一色の露光のスタート位置を主走査方向にずらしても、混合色（Ｋ）の色が変わらないようにするための回路構成を示すブロック図である。
【図９】図１のカラープルーフ作成システムの動作を説明するためのフローチャートである。
【符号の説明】
【００７５】
１ 画像記録装置
１Ａ 画像記録装置
１Ｂ 画像記録装置
１ｂ 装置本体
２ 画像処理装置
３ 画像読取装置
１０ ドラム
１１ 露光ユニット
１６ 露光部
１７ 副走査部
２１ 現像ユニット
３７ ロータリーエンコーダ
８２ 遅延回路
８４，８５，８６ 各色の遅延回路
１００ 受像シート
１０１ ドナーシート
１４０ 露光部
３００ ドラム
４００ 記録ヘッド
Ｈ 副走査方向
Ｍ６ ドラム駆動用パルスモータ
Ｍ７ 副走査モータ
Ｒ 回転方向（主走査方向）
【図１】
2005091860.tif 000003
【図２】
2005091860.tif 000004
【図３】
2005091860.tif 000005
【図４】
2005091860.tif 000006
【図５】
2005091860.tif 000007
【図６】
2005091860.tif 000008
【図７】
2005091860.tif 000009
【図８】
2005091860.tif 000010
【図９】
2005091860.tif 000011